【事件の表示】
　特願２０１６−　１１１０２「無線充電装置をヒューマンマシンインターフェース（ＨＭＩ）と一体化させる方法」拒絶査定不服審判事件〔平成２８年　７月２５日出願公開、特開２０１６−１３５０９９〕について、次のとおり審決する。
【結　論】
　本件審判の請求は、成り立たない。
【理　由】
第１　手続の経緯
　本願は、平成２８年１月２２日（パリ条約による優先権主張外国庁受理　２０１５年１月２２日　米国）の出願であって、平成２９年１月２６日付けで拒絶理由通知がされ、同年４月１４日付けで意見書と手続補正書が提出されたが、同年８月２日付けで拒絶査定がされ、これに対し、同年１２月７日に拒絶査定不服審判の請求がされたものである。
第２　本願発明
　本願の請求項１ないし１５に係る発明は、平成２９年４月１４日付け手続補正により補正された特許請求の範囲の請求項１ないし１５に記載された事項により特定されるものと認められるところ、請求項１に係る発明（以下「本願発明」という。）は次のとおりである。
「【請求項１】
　無線充電装置をディスプレイと一体化させるシステムであって、
　一体化のためのプログラム命令群を格納するコンピュータ可読媒体を有するデータ記憶装置と、
　前記プログラム命令群を実行する処理装置と、
　前記無線充電装置から情報を受信する情報受信機と、
　前記情報を処理する情報処理装置であって、当該処理済み情報は無線充電装置に関する情報または無線充電装置上の複数の電子機器に関する情報である、という情報処理装置と、
　前記処理済み情報を当該システムに接続されるディスプレイに送信する情報通信機器と、
　前記ディスプレイに前記複数の電子機器に関する情報が提示されると、当該複数の電子機器のうち、どの機器にも充電させない、幾つかの機器を充電させる、または全ての機器を充電させる、の選択をユーザに行わせるインタフェースと、
を備え、
　前記情報処理装置は、前記インタフェースにおいて２以上の機器を充電させることが選択された場合、充電動作の特定の順番を決定して、当該順番に従って当該充電動作を実行するようになっている
ことを特徴とするシステム。」
　
第３　引用文献
（１）引用文献１・引用発明
　本願の優先権主張の日前に日本国内において頒布され、原査定の拒絶の理由に引用された特開２０１４−１３５８６２号公報（以下、「引用文献１」という。）には、次の技術事項が記載されている。（下線部は、当審により付加した。）
ア．「【発明が解決しようとする課題】
【０００５】
　従来のワイヤレス給電の技術においては、給電装置は、給電ゾーンにある受電装置の識別番号や、給電プロトコルを自動で取得し、給電リンクが確立した場合に、自動的にワイヤレス給電を行う。
　しかしながら、ＭＦＰを給電ポイントとした場合は、ＭＦＰと連携目的で近づいた携帯端末のユーザは、必ずしも給電を希望しているとは限らない。すなわち、従来のワイヤレス給電の技術においては、
給電ポイントにおいて、ユーザが希望しないワイヤレス給電が行われてしまうという問題があった
【０００６】
　
本発明は
ユーザの希望に沿った給電を行う仕組みを提供することを目的とする
イ．「【００１０】
　以下、本発明の実施形態について図面に基づいて説明する。
　図１は、給電装置を備える画像形成装置としての
デジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）１０１
　
ＭＦＰ１０１は、外部デバイス１０２，１０３，１０４に対しワイヤレス給電を行う
　図１に示す外部デバイス１０２は、デジタルカメラである。また、外部デバイス１０３，１０４は、スマートフォンである。なお、ＭＦＰ１０１が給電可能な外部デバイスの数及び種類は実施形態に限定されるものではない。」
ウ．「【００１３】
　図２は、ＭＦＰ１０１の構成を示す図である。
ＭＦＰ１０１は、コントローラユニット２０３と、スキャナ２０１と、プリンタ２０２と、操作部２１１とを有している
　プリンタ２０２は、印刷機能を有している。プリンタ２０２は、スキャナ２０１により読み込まれた画像、ＩＰネットワーク網２１３より転送される画像、及びＨＤＤ２１７に格納されている画像を印刷出力する手段を有している。
【００１４】
　
操作部２１１は、ユーザインタフェースとして機能する。操作部２１１は、ユーザによる入力手段と、情報を表示するための表示手段とを有している
　
コントローラユニット２０３は、スキャナインターフェース（Ｉ／Ｆ）２０４と、プリンタインターフェース（Ｉ／Ｆ）２０５と、画像処理部２０６と、制御部２０７と、操作制御部２０９とを有している
　　　　　・・・・　（中略）・・・・
【００１７】
　
給電通信部２２２は、ＭＦＰ１０１が電力を供給する外部デバイス（受電デバイス）へワイヤレス給電を行う際の、通信によるデバイスの識別や認証を行うための通信部である。
　
ワイヤレス給電部２２４は、外部デバイスに対して非接触による給電を行う電源供給部である
【００１８】
　
制御部２０７は、コントローラユニット２０３の全体制御を司る。制御部２０７は、内部にコントロールの中核となるＣＰＵ２１４を実装している。制御部２０７はまた、ＣＰＵ２１４が実施する制御プログラムＲＯＭや一時利用メモリとするワークＲＡＭ等のメモリ２０８を実行している
　なお、
以下に示す処理は、ＣＰＵ２１４がメモリ２０８に格納されているプログラム
　また、以下に示す処理における、外部デバイスの処理は、ＭＦＰ１０１と同様に、外部デバイスが備えるＣＰＵがメモリに格納されているプログラムを読み出し、これを実行することにより、実現されるものである。
【００１９】
　図３は、
メモリ２０８に記憶されるデータテーブル
データテーブルは
ＣＰＵ２１４により
更新される
データテーブルのデバイスＩＤは
給電可能な外部デバイス、すなわち給電可能デバイスの固有のＩＤ
　後述する給電処理の他、ＩＰネットワーク網２１３を介し、プリントやスキャンなどにおいて、ＭＦＰ１０１が外部デバイスと連携する場合に、ＭＦＰ１０１は、外部デバイスからデバイスＩＤを受信する。これにより、ＭＦＰ１０１は、いずれの外部デバイスと連携を行っているかを特定することができる。」
エ．【００２６】
＜電力転送期間＞
　Ｓ３０６のＴｒａｎｓｆｅｒｒｉｎｇ  Ｐｏｗｅｒ処理において、
ＣＰＵ２１４は、バス２１２を介し、ワイヤレス給電部２２４に対し、コマンドを発行し給電を開始する
ＣＰＵ２１４は、バス２１２を介し、給電終了通知をワイヤレス給電部２２４から受ける
　Ｓ３０８のＤＡＴＡにおいて、ＣＰＵ２１４は、バス２１２を介し、給電通信部２２２より外部デバイスから、通電終了通知を受けた旨を受ける。またＳ３０８では、ＣＰＵ２１４は、例えば受信電力量、バッテリ充電量などのデータも受信し、これらを給電データとして、メモリ２０８に格納する。Ｓ３０９のＤＡ（Ｄａｔａ  Ａｃｋ）において、ＣＰＵ２１４は、バス２１２を介し、給電通信部２２２から外部デバイスへ、給電データを受けた旨を通知し、フレームを終了する。
　ＣＰＵ２１４は、バス２１２を介し、給電通信部２２２からの通信により、電力転送期間の間、外部デバイスから各種情報を得ることができる。すなわち、ＣＰＵ２１４は、Ｓ３０６のＴｒａｎｓｆｅｒｒｉｎｇ  Ｐｏｗｅｒ処理の実行後は、外部デバイスから給電データを受信するステップＳ３０８，Ｓ３０９の処理を適宜実行することができる。これにより、例えば、外部デバイスにおいて不測の事態などが起きた場合には、ＣＰＵ２１４は、外部デバイスからの給電停止等の要求を迅速に受信することができる。すなわち、ＣＰＵ２１４は、外部デバイスへの給電を迅速にストップすることができる。
【００２７】
　図５は、関連付け期間（Ｓ３０１、Ｓ３０２、Ｓ３０３）、転送準備期間（Ｓ３０４、Ｓ３０５）及び電力転送期間（Ｓ３０６、Ｓ３０７、Ｓ３０８、Ｓ３０９）を１フレームした、フレームが連続する様子を示す図である。
　ＭＦＰ１０１は、それぞれのフレームにおいて、関連付け期間（Ｓ３０１、Ｓ３０２、Ｓ３０３）に認証した異なる外部デバイスに対する給電を行う。
ＭＦＰ１０１は
それぞれ異なる外部デバイスに給電を行うことで、複数の外部デバイスへの給電を実現する
オ．「【００４０】
　Ｓ７０６において、
ＭＦＰ１０１のＣＰＵ２１４は、給電通信部２２２を介し、外部デバイスＡのデバイス情報を受信する。Ｓ７０７において、ＣＰＵ２１４は、受信したデバイス情報に基づいて、データテーブルを更新する
　なお、データテーブルのエリアに対応するステータスは、外部デバイスＡにおいて決定される。例えば、外部デバイスが、ＭＦＰ１０１から離れた位置に存在する場合には、ワイヤレス給電の効率が悪く、ＭＦＰ１０１から外部デバイスへの給電能力が要求電力よりも小さくなる場合がある。この場合には、外部デバイスＡは、Ｓ７０６において、ステータス「ＯＵＴ」を返す。一方、ＭＦＰ１０１により外部デバイスの要求電力に応じた給電が障害なく実行された場合には、外部デバイスＡは、ステータス「ＩＮ」を返す。
　Ｓ７０８において、ＣＰＵ２１４は、デバイス情報を受信した旨を外部デバイスＡに通知する。以上により、電力転送期間におけるＭＦＰ１０１の処理が完了する。また、Ｓ７１７において、外部デバイスＡは、ＭＦＰ１０１からデバイス情報の受信通知を受け、転送準備期間の処理を完了する。」
カ．「【００４９】
　以下に、各外部デバイスへの給電情報を操作部２１１へ表示する給電情報表示処理について説明する。
ユーザにより、操作部２１１から、給電情報表示ボタンが選択されると、操作制御部２０９よりＣＰＵ２１４に対して、給電情報表示要求がバス２１２を介して伝達される。
　ＣＰＵ２１４は、データテーブルより情報表示に必要な情報を読み取り、図１１に示すような表示データを作成する
表示データには、データテーブルに登録されているデバイスＩＤが含まれている。表示データには、さらにデバイスＩＤに対応するバッテリ充電状況と、給電状況と、給電エリアと、優先フラグと、連携フラグとが含まれている
【００５０】
　前述したように、バッテリ充電状況は％単位で表示される。給電状況は、データテーブルの給電フラグに対応する。給電中はＳｕｐｐｌｙ、給電ストップ中はＳｔｏｐが、給電情報として表示される。
　給電エリアは、データテーブルのエリアに対応する。給電可能領域１０６内に位置する外部デバイスに対応する給電エリアには、ＩＮが表示される。給電可能領域１０６の範囲外に位置する外部デバイスに対応する給電エリアには、ＯＵＴが表示される。
【００５１】
　
優先フラグは
ユーザにより優先的に給電したい外部デバイスとして設定された外部デバイスの優先フラグには、Ｐｒｉｏｒｉｔｙが表示される
　連携フラグは、データテーブルの連携フラグに対応する。連携フラグは、外部デバイスがＭＦＰ１０１と連携している状態を表示する。例えば、外部デバイスがプリントジョブ中の場合はＰｒｉｎｔ、スキャンジョブの場合はＳｃａｎ等が表示される。
　
ＣＰＵ２１４は、作成した表示データを、バス２１２を介して操作制御部２０９に転送し、表示コマンドを発行する。操作制御部２０９は、表示コマンドに基づいて、表示データを操作部２１１の操作画面１００１に表示する
キ．「【００５２】
　図１２は、操作画面１００１に表示された表示データ画面の一例を示す図である。図１２に示す表示データ画面１２０２は、図１１に示す表示データに対応している。図１１に示す表示データは、図１２に示すように操作部２１１に表示される。
　表示データ画面１２０２は、デバイスＩＤ０１の外部デバイスの状態として、バッテリ受電状況５０％、給電はＳｔｏｐ状態、給電可能領域１０６外に位置し、優先フラグ、連携フラグはないという状態を表示している。
【００５３】
　表示データ画面１２０２また、デバイスＩＤ０２の外部デバイスの状態として、バッテリ受電状況４０％、給電可能領域１０６内に位置し、給電はＳｕｐｐｌｙ状態、優先フラグＰｒｉｏｒｔｙが設定され、連携フラグはないという状態を表示している。
　表示データ画面１２０２はまた、デバイスＩＤ０４の外部デバイスの状態として、バッテリ受電状況８０％、給電可能領域１０６内に位置し、給電はＳｕｐｐｌｙ状態、優先フラグはないという状態を表示している。さらに、表示データ画面１２０２は、デバイスＩＤ０４の外部デバイスの状態として、連携フラグＰｒｉｎｔと表示し、この外部デバイスがＭＦＰ１０１と連携状態にあることを表示している。
【００５４】
　
ユーザは、タッチパネル形式の操作画面１００１を操作することにより、希望のデバイスＩＤを選択し、優先フラグの設定など、各種設定を行うことができる。また、ユーザは、操作画面１００１を操作することにより、給電可能領域１０６内の外部デバイスに対して、給電開始や給電停止等の設定を行うことができる
　さらに、ＣＰＵ２１４は、給電能力変更条件に合致する場合には、操作画面１００１に表示データ画面１２０２とともに給電能力変更キー１２０１を表示する。ここで、給電能力変更キー１２０１は、給電可能領域１０６の範囲、すなわちワイヤレス給電部２２４の給電能力の変更指示を受け付けるためのユーザインタフェースである。なお、給電能力変更条件については後述する。」
ク．「【００５８】
　図１７は、表示データ画面を表示する表示処理のフローチャートを示す図である。Ｓ１７０１において、
ＣＰＵ２１４は、操作部２１１からユーザにより給電情報表示ボタンが選択されたか否かを判断する。給電情報表示ボタンが選択された場合には、ＣＰＵ２１４は、表示データ画面の生成のための処理を開始
　Ｓ１７０２において、ＣＰＵ２１４は、データテーブルに基づいて、表示データを作成する。次に、Ｓ１７０３において、ＣＰＵ２１４は、外部デバイスの状態が、給電能力変更条件に合致するか否かを判定する。給電能力変更条件に合致する場合には、ＣＰＵ２１４は、Ｓ１７０４へ処理を進める。給電能力変更条件に合致しない場合は、ＣＰＵ２１４は、Ｓ１７０５へ処理を進める。
【００５９】
　Ｓ１７０４において、ＣＰＵ２１４は、給電能力変更ボタンを操作画面１００１に表示する。次に、
Ｓ１７０５において、ＣＰＵ２１４は、Ｓ１７０２において作成した表示データに基づき、表示データ画面を操作画面１００１に表示する
　すなわち、Ｓ１７０５は、表示制御処理の一例である。また、Ｓ１７０４において給電能力変更ボタンが表示され、Ｓ１７０５において表示データ画面が表示された表示画面は、変更画面の一例である。
【００６０】
　Ｓ１７０６において、ＣＰＵ２１４は操作部２１１において、ユーザが新たな操作ボタンを操作したか否かを判定する。操作ボタンの操作があったと判定した場合には、ＣＰＵ２１４は、Ｓ１７０７へ処理を進める
　
Ｓ１７０７において、ＣＰＵ２１４は、所定の操作がなされたと判定した場合には、Ｓ１７０８へ処理を進める。Ｓ１７０８において、ＣＰＵ２１４は、選択された操作ボタンに対応する処理を実行する。操作ボタンに対応する処理としては、所望の外部デバイスに対する、優先フラグ設定又は解除、所望の外部デバイスに対する給電の開始及び停止などがある
【００６１】
　例えば
、ユーザから、所望の外部デバイスの選択入力がなされ、選択された外部デバイスに対する給電の開始指示が入力されたとする。この場合には、Ｓ１７０８において、ＣＰＵ２１４は、給電対象の外部デバイスの選択入力を受け付ける（入力受付処理）。そして、ＣＰＵ２１４は、ユーザにより選択入力された外部デバイスを給電対象の外部デバイス（給電対象デバイス）として特定する（給電対象デバイス特定処理）。
　また例えば、ユーザから所望の外部デバイスの選択入力がなされ、選択された外部デバイスに対する給電の終了指示が入力されたとする。この場合には、Ｓ１７０８において、ＣＰＵ２１４は、給電対象の外部デバイスの選択入力を受け付ける。そして、ＣＰＵ２１４は、選択入力された外部デバイスを給電対象の外部デバイス（給電対象デバイス）から削除する（給電対象デバイス特定処理）
　　　　　・・・・　（中略）　・・・・
【００６３】
　以上のように、本実施形態にかかるＭＦＰ１０１は、表示データ画面を表示することにより、
ユーザから給電を希望する外部デバイスの選択を受け付け、ユーザによる選択に基づいて、給電対象の外部デバイスを特定することができる
　上記アないしクの記載から、引用文献１には次の事項が記載されている。
・上記イ、上記ウの段落【００１３】、及び上記エの段落【００２７】によれば、コントローラユニット２０３と、スキャナ２０１と、プリンタ２０２と、操作部２１１とを有する、複数の外部デバイスに対してワイヤレス給電を行うデジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）１０１、が記載されている。
・上記ウの段落【００１４】には、前記操作部２１１は、ユーザインタフェースとして機能し、ユーザによる入力手段と、情報を表示するための表示手段とを有すること、また、段落【００５１】、【００５４】には、操作部２１１がタッチパネル形式の操作画面１００１を有することが記載されている。
・上記ウの段落【００１４】、図２によれば、前記コントローラユニット２０３は、スキャナインターフェース（Ｉ／Ｆ）２０４と、プリンタインターフェース（Ｉ／Ｆ）２０５と、画像処理部２０６と、制御部２０７と、操作制御部２０９と、給電通信部２２２と、ワイヤレス給電部２２４を有することが記載されている。
・上記ウの段落【００１８】には、前記制御部２０７は、コントローラユニット２０３の全体制御を司り、内部にコントロールの中核となるＣＰＵ２１４を実装し、また、ＣＰＵ２１４が実施するプログラムを格納するメモリ２０８を有すること、また、段落【００１９】には、ＣＰＵ２１４により更新されるデータテーブルがメモリ２０８に記憶されることが記載されている。
　してみると、引用文献１には、前記制御部２０７は、コントローラユニット２０３の全体制御を司り、内部にコントロールの中核となるＣＰＵ２１４を実装し、また、ＣＰＵ２１４が実施するプログラムと、ＣＰＵ２１４により更新されるデータテーブルを格納するメモリ２０８を有することが記載されている。
・上記ウの段落【００１７】には、前記給電通信部２２２は、ＭＦＰ１０１が電力を供給する外部デバイスへワイヤレス給電を行う際の、通信によるデバイスの識別や認証を行うための通信部であること、また、上記オには、前記ＣＰＵ２１４は、該給電通信部２２２を介し、外部デバイスのデバイス情報を受信し、受信したデバイス情報に基づいて、データテーブルを更新することが記載されている。
　してみると、引用文献１には、 前記給電通信部２２２は、ＭＦＰ１０１が電力を供給する外部デバイスへワイヤレス給電を行う際の、通信によるデバイスの識別や認証を行うための通信部であって、また、前記ＣＰＵ２１４は、該給電通信部２２２を介し、外部デバイスのデバイス情報を受信し、受信したデバイス情報に基づいて、データテーブルを更新するものであることが記載されている。
・上記ウの段落【００１７】には、前記ワイヤレス給電部２２４は、外部デバイスに対して非接触による給電を行う電源供給部であること、また、上記エの段落【００２６】には、前記ＣＰＵ２１４は、バス２１２を介し、ワイヤレス給電部２２４に対し、コマンドを発行し給電を開始すること、および、前記ＣＰＵ２１４は、バス２１２を介し、給電終了通知をワイヤレス給電部２２４から受ける、ことが記載されている。
　してみると、引用文献１には、前記ワイヤレス給電部２２４は、外部デバイスに対して非接触による給電を行う電源供給部であって、また、前記ＣＰＵ２１４は、該ワイヤレス給電部２２４に対し、コマンドを発行し給電を開始し、さらに、給電終了通知をワイヤレス給電部２２４から受けることが記載されている。
・上記カの段落【００４９】、及び上記クの段落【００５８】には、操作部２１１から、給電情報表示ボタンが選択されると、操作制御部２０９よりＣＰＵ２１４に対して、給電情報表示要求がバス２１２を介して伝達し、ＣＰＵ２１４は、データテーブルより情報表示に必要な情報を読み取り、表示データを作成することが、また、上記カの段落【００５１】及び上記クの段落【００５９】には、作成した表示データを操作制御部２０９に転送し、操作制御部２０９が、表示データを操作部２１１の操作画面１００１に表示することが記載されている。
　してみると、引用文献１には、操作部２１１から、給電情報表示ボタンが選択されると、操作制御部２０９よりＣＰＵ２１４に対して、給電情報表示要求がバス２１２を介して伝達し、ＣＰＵ２１４は、データテーブルより情報表示に必要な情報を読み取り、表示データを作成し、作成した表示データを操作制御部２０９に転送し、操作制御部２０９が、表示データを操作部２１１の操作画面１００１に表示することが記載されている。
・上記ウの段落【００１９】、及び上記カの段落【００４９】には、前記表示データには、データテーブルに登録されている給電可能な外部デバイスの固有のＩＤであるデバイスＩＤと、該デバイスＩＤに対応するバッテリ充電状況と、給電状況と、給電エリアと、優先フラグと、連携フラグとが含まれることが記載されている。
・上記カの段落【００５１】には、前記優先フラグは、ユーザにより優先的に給電したい外部デバイスとして設定されるものであって、該外部デバイスに対して、Ｐｒｉｏｒｉｔｙが表示されることが記載されている。
・上記ア、上記キの段落【００５４】、及び上記クの段落【００５９】−【００６１】、【００６３】には、ユーザは、表示データが表示されたタッチパネル形式の操作画面１００１を操作することにより、希望のデバイスＩＤを選択し、優先フラグの設定など、各種設定を行い、給電可能領域１０６内の外部デバイスに対して、給電開始や給電停止等の設定を行うことができることが記載されている。
　したがって、上記引用文献１には次の発明（以下、「引用発明」という。）が記載されている。
「コントローラユニット２０３と、操作部２１１とを有する、複数の外部デバイスに対してワイヤレス給電を行うデジタル複写機複合機（ＭＦＰ：Ｍｕｌｔｉ  Ｆｕｎｃｔｉｏｎ  Ｐｅｒｉｐｈｅｒａｌ／Ｍｕｌｔｉ  Ｆｕｎｃｔｉｏｎ  Ｐｒｉｎｔｅｒ）１０１において、
　前記操作部２１１は、ユーザインタフェースとして機能し、タッチパネル形式の操作画面１００１を有しており、
　前記コントローラユニット２０３は、スキャナインターフェース（Ｉ／Ｆ）２０４と、プリンタインターフェース（Ｉ／Ｆ）２０５と、画像処理部２０６と、制御部２０７と、操作制御部２０９と、給電通信部２２２と、ワイヤレス給電部２２４を有しており、
　前記制御部２０７は、コントローラユニット２０３の全体制御を司り、内部にコントロールの中核となるＣＰＵ２１４を実装し、また、ＣＰＵ２１４が実施するプログラムとＣＰＵ２１４により更新されるデータテーブルを格納するメモリ２０８を有し、
　前記給電通信部２２２は、ＭＦＰ１０１が電力を供給する外部デバイスへワイヤレス給電を行う際の、通信によるデバイスの識別や認証を行うための通信部であって、また、前記ＣＰＵ２１４は、該給電通信部２２２を介し、外部デバイスのデバイス情報を受信し、受信したデバイス情報に基づいて、データテーブルを更新するものであって、
　前記ワイヤレス給電部２２４は、外部デバイスに対して非接触による給電を行う電源供給部であって、また、前記ＣＰＵ２１４は、該ワイヤレス給電部２２４に対し、コマンドを発行し給電を開始し、さらに、給電終了通知を該ワイヤレス給電部２２４から受けるものであって、
　前記操作部２１１から、給電情報表示ボタンが選択されると、操作制御部２０９よりＣＰＵ２１４に対して、給電情報表示要求がバス２１２を介して伝達し、ＣＰＵ２１４は、データテーブルより情報表示に必要な情報を読み取り、表示データを作成し、作成した表示データを操作制御部２０９に転送し、操作制御部２０９が、表示データを操作部２１１の操作画面１００１に表示するものであって、
　前記表示データには、データテーブルに登録されている給電可能な外部デバイスの固有のＩＤであるデバイスＩＤと、該デバイスＩＤに対応するバッテリ充電状況と、給電状況と、給電エリアと、優先フラグと、連携フラグとが含まれており、
　前記優先フラグは、ユーザにより優先的に給電したい外部デバイスとして設定されるものであって、該外部デバイスに対して、Ｐｒｉｏｒｉｔｙが表示されるものであり、
　ユーザは、表示データが表示されたタッチパネル形式の操作画面１００１を操作することにより、希望のデバイスＩＤを選択し、優先フラグの設定など、各種設定を行い、給電可能領域１０６内の外部デバイスに対して、給電開始や給電停止等の設定を行うことができるデジタル複写機複合機１０１。」
（２）引用文献２
  本願の優先権主張の日前に日本国内において頒布され、拒絶査定に引用された特開２０１３−８１３６３号公報（以下、「引用文献２」という。）には、次の技術事項が記載されている。
ア．「【００２０】
　本発明による無線電力送信装置及び方法においては、
電力を充電させるべき受電装置が複数の場合、複数の受電装置の優先順位を判断する
【００２１】
　
前記優先順位は、携帯端末機に取り付けられた受電装置を第１順位とし、携帯端末機に取り付けられていない受電装置を第２順位とする
【００２２】
　そして、前記携帯端末機に取り付けられているか否かによる
優先順位が同一の場合、前記受電装置の電力充電状態に応じて優先順位を決定する
【００２３】
　優先順位が決定されると、優先順位の高い受電装置に電力を送信して充電させ、電力の充電が完了すると、次の優先順位の受電装置に電力を送信して充電させる。
【００２４】
　そこで、本発明による無線電力送信装置は、
複数の電力送信コイルから無線で電力を送信する電力送信部と、前記電力送信部が送信する電力を充電する受電装置が複数の場合、前記複数の受電装置の優先順位を判断し、判断した優先順位に従って前記複数の受電装置を１つずつ選択して順次電力を送信するように制御する
イ．「【発明の効果】
【００３４】
  本発明による無線電力送信装置及び方法によれば、
充電台に複数の受電装置が載置された場合、複数の受電装置の優先順位を判断し、判断した優先順位に従って複数の受電装置に順次電力を供給して充電させる
【００３５】
  
つまり、迅速な充電を必要とする受電装置の充電を先に完了し、迅速に充電させなくてもよい受電装置には後で電力を充電させることにより、非常に効率的に複数の受電装置に電力を充電させることができ
【００３６】
  さらに、電力送信コイルの移動や使用者による追加操作を行うことなく、１つの無線電力送信装置で複数の受電装置に自動で順次電力を充電させることができる。」
　上記引用文献２には次の技術事項（以下、「引用文献２記載の技術事項」という。）が記載されていると認められる。
「複数の受電装置に充電を行う際に、効率的に充電を行うために、迅速な充電を必要とする受電装置を考慮して決定される優先順位に従って１つずつ順次電力を送信すること。」
　
第４　対比
　本願発明と引用発明とを対比する。
ア．引用発明の「給電通信部２２２」は、電力を供給する外部デバイスへワイヤレス給電を行う際の、通信によるデバイスの識別や認証を行うための通信部であり、また、「ワイヤレス給電部２２４」は、外部デバイスに対して非接触による給電を行う電源供給部である。
　してみると、引用発明においては「給電通信部２２２」及び「ワイヤレス給電部２２４」によって、外部デバイスに対して非接触による給電（充電）を行っているものと認められる。
　したがって、引用発明の「給電通信部２２２」及び「ワイヤレス給電部２２４」は、本願発明の「無線充電装置」に相当する。
　また、引用発明の「操作画面１００１」は、本願発明の「ディスプレイ」に相当する。
　そして、引用発明は、操作画面１００１に「給電通信部２２２」が受信した外部デバイスの情報を表示させたり、操作画面１００１の操作で「ワイヤレス給電部２２４」に給電開始や給電停止を行わせることができるものであり、「操作画面１００１」と「給電通信部２２２」及び「ワイヤレス給電部２２４」を一体化させているものと認められる。
　したがって、本願発明と引用発明とは、「無線充電装置をディスプレイと一体化させるシステム」である点で一致する。
イ．引用発明の「ＣＰＵ２１４」は、「メモリ２０８」に格納されたプログラムを実施することで全体制御を司るものである。そして、該全体制御には、上記アに記載した外部デバイスの情報を表示させることや、給電開始や給電停止の制御も含まれるものと認められる。
　してみると、引用発明の全体制御のための「プログラム」は、本願発明の「一体化のためのプログラム命令群」を含むものである。
　そして、引用発明の「ＣＰＵ２１４が実施するプログラム」を有する「メモリ２０８」は、本願発明の「一体化のためのプログラム命令群を格納するコンピュータ可読媒体を有するデータ記憶装置」に相当する。
　さらに、引用発明の「コントロールの中核となるＣＰＵ２１４」は、本願発明の「前記プログラム命令群を実行する処理装置」に相当する。
ウ．引用発明の「外部デバイスのデバイス情報」、及び「給電終了通知」は、本願発明の「情報」に相当する。
　そして、引用発明の「ＣＰＵ２１４」は、給電通信部２２２から「外部デバイスのデバイス情報」を、また、ワイヤレス給電部２２４から「給電終了通知」を受信するものである。
　したがって、引用発明において「給電通信部２２２」及び「ワイヤレス給電部２２４」の各々から、「外部デバイスのデバイス情報」及び「給電終了通知」を受信することは、本願発明の「前記無線充電装置から情報を受信する」ことに相当する。
　但し、上記「情報を受信する」のが、本願発明では「情報受信機」であるのに対して、引用発明ではその旨の特定がされていない点で相違する。
エ．引用発明の「外部デバイス」は、本願発明の「電子機器」に相当する。
　そして、引用発明の「表示データ」は、「ＣＰＵ２１４」がデータテーブルの「外部デバイスのデバイス情報」を処理して作成されるものである。
　また、引用発明の「ＭＦＰ１０１」は、複数の外部デバイスにワイヤレス給電を行うものであるから、「表示データ」には複数の外部デバイスに関する情報が含まれているものである。
　してみると、引用発明の複数の外部デバイスに関する情報が含まれている「表示データ」は、本願発明の「当該処理済み情報は無線充電装置に関する情報または複数の電子機器に関する情報」に相当する。
　そして、引用発明のデータテーブルの「外部デバイスのデバイス情報」を処理して「表示データ」を作成する「ＣＰＵ２１４」は、本願発明の「前記情報を処理する情報処理装置であって、当該処理済み情報は無線充電装置に関する情報または複数の電子機器に関する情報である、という情報処理装置」に相当する。
　但し、上記「複数の電子機器」が、本願発明では「無線充電装置上」にあるのに対して、引用発明では、その旨の特定がされていない点で相違する。
　また、本願発明では、「前記情報処理装置は、前記インタフェースにおいて２以上の機器を充電させることが選択された場合、充電動作の特定の順番を決定して、当該順番に従って当該充電動作を実行するようになっている」のに対して、引用発明では、その旨の特定がされていない点で相違する。
　
オ．引用発明の「操作制御部２０９」は、表示データを操作部２１１の操作画面１００１に表示するものであるから、本願発明の「前記処理済み情報を当該システムに接続されるディスプレイに送信する情報通信機器」に相当する。
カ．引用発明は、操作画面１００１に表示データが表示されると、ユーザは、「タッチパネル形式の操作画面１００１」を操作することにより、希望のデバイスＩＤを選択し「給電開始や給電停止等の設定を行うことができる」ものである。
　したがって、引用発明の「希望のデバイスＩＤを選択し、優先フラグの設定など、各種設定を行い、給電可能領域１０６内の外部デバイスに対して、給電開始や給電停止等の設定を行うことができる」「表示データが表示されたタッチパネル形式の操作画面１００１」は、本願発明の「前記ディスプレイに前記複数の電子機器に関する情報が提示されると、当該複数の電子機器のうち、どの機器にも充電させない、幾つかの機器を充電させる、または全ての機器を充電させる、の選択をユーザに行わせるインタフェース」に相当する。
　なお、審判請求人は審判請求書において、引用文献１には本願発明の「前記ディスプレイに前記複数の電子機器に関する情報が提示されると、当該複数の電子機器のうち、どの機器にも充電させない、幾つかの機器を充電させる、または全ての機器を充電させる、の選択をユーザに行わせるインタフェース」が記載されていない旨を主張している。
　しかしながら、引用発明の「ユーザは、表示データが表示されたタッチパネル形式の操作画面１００１を操作することにより、希望のデバイスＩＤを選択し、優先フラグの設定など、各種設定を行い、給電可能領域１０６内の外部デバイスに対して、給電開始や給電停止等の設定を行うことができること」とは、引用文献１の段落【００５９】−【００６１】を参照すると、給電可能が外部デバイスが表示されている操作画面から、ユーザが所望の外部デバイスを選択入力し、選択された外部デバイスに対する給電の開始指示または終了指示を入力すると、ＣＰＵ２１４が、ユーザにより選択入力された外部デバイスを給電対象の外部デバイス（給電対象デバイス）として特定する、または、選択入力された外部デバイスを給電対象の外部デバイス（給電対象デバイス）から削除することである。
　してみると、引用発明において、ユーザが「タッチパネル形式の操作画面１００１」で、表示されている全ての外部デバイスに対して給電の終了指示を行えば、どの外部デバイスにも充電させないことができ、幾つかの外部デバイスの対して給電の開始指示を行い、残りの外部デバイスに対して給電の終了指示を行えば、幾つかの外部デバイスに充電することができ、さらに、全ての外部デバイスに対して給電の開始指示を行えば、全ての外部デバイスの充電が行えるものである。
　したがって、上記主張は認められない。
　
　そうすると、本願発明と引用発明とは次の点で一致ないし相違するものと認められる。
　
（一致点）
　
「無線充電装置をディスプレイと一体化させるシステムであって、
　一体化のためのプログラム命令群を格納するコンピュータ可読媒体を有するデータ記憶装置と、
　前記プログラム命令群を実行する処理装置と、
　前記無線充電装置から情報を受信し、
　前記情報を処理する情報処理装置であって、当該処理済み情報は無線充電装置に関する情報または複数の電子機器に関する情報である、という情報処理装置と、
　前記処理済み情報を当該システムに接続されるディスプレイに送信する情報通信機器と、
　前記ディスプレイに前記複数の電子機器に関する情報が提示されると、当該複数の電子機器のうち、どの機器にも充電させない、幾つかの機器を充電させる、または全ての機器を充電させる、の選択をユーザに行わせるインタフェースと、を備えた、
　システム。」
　　
（相違点１）
　「前記無線充電装置から情報を受信する」ものが、本願発明では、「情報受信機」であるのに対して、引用発明では、その旨の特定がされていない点。
　
（相違点２）
　「複数の電子機器」が、本願発明では「無線充電装置上」にあるのに対して、引用発明では、その旨の特定がされていない点。
（相違点３）
　本願発明では、「前記情報処理装置は、前記インタフェースにおいて２以上の機器を充電させることが選択された場合、充電動作の特定の順番を決定して、当該順番に従って当該充電動作を実行するようになっている」のに対して、引用発明では、その旨の特定がされていない点。
第５　検討
　そこで、上記各相違点について検討する。
（相違点１）について
　引用発明におけるＣＰＵ２１４は、デバイス情報を受信し、給電終了通知を受けるものである以上、各情報を受信するための構成、すなわち情報受信機を有するものであることは明らかである。
　よって、相違点１は実質的な相違点ではない。
（相違点２）について
　充電装置上にデバイスを載置してワイヤレス給電を行うことは常套手段である。
　したがって、引用発明において該常套手段を適用して、相違点２の構成とすることは、当業者が容易に想到し得たことである。
（相違点３）について　
　引用発明は、ユーザにより優先的に充電したい外部デバイスに優先フラグを設定するものである。　
　そして、例えば、引用文献２にも記載されるように、複数の受電装置に充電を行う際に、効率的に充電を行うために、優先して充電すべきものを考慮して決定される順番に従って充電動作を実行する技術は、周知の技術事項である。
　したがって、引用発明において効率的な充電を行えるように、該周知の技術事項を適用して、ユーザにより優先的に充電したい外部デバイスに設定される優先フラグを考慮して決定される順番に従って充電動作を実行することで、相違点３の構成とすることは、当業者が容易に想到し得たことである。
　
　また、本願発明の効果も、引用発明及び周知の技術事項から想到される構成から当業者が予想できる範囲のものである。
　　
第６　むすび
　以上のとおり、本願の請求項１に係る発明は、引用文献１に記載された発明及び周知の技術事項に基づいて当業者が容易に発明をすることができたものであるから、特許法第２９条第２項の規定により特許を受けることができない。
　したがって、本願はその余の請求項に論及するまでもなく拒絶すべきものである。
　
　よって、結論のとおり審決する。